(57)【要約】【課題】損傷し易い内容物の定型性を維持して内容物を保護するのに好適な包装用トレーを提供する。【解決手段】物品を載置する底面部と、底面部の周囲から立ち上がるように連設された長手方向側壁部（２０）及び短手方向側壁部（３０）と、上方に向って開口する開口部（４０）を備え熱可塑性樹脂により成形される。底面部と長手方向側壁部と短手方向側壁部とにより囲成されるスペースを物品収容スペースとして形成する。底面部の短手方向側壁部方向に折曲可能なヒンジ部（１２）が形成される。ヒンジ部の端部より立ち上がり長手方向側壁部の一部を構成し長手方向側壁部より高さが低く形成され、ヒンジ部を介して底面部を下方に向かって折曲した際に拡開するとともにヒンジ部近傍の長手方向側壁部を連動して拡開させる、ばね性を賦与して形成された拡開低側壁部（２２）を備えている。【選択図】図３
0003185677.tif 000002
【実用新案登録請求の範囲】
【請求項１】
物品を載置する底面部と、該底面部の周囲から立ち上がるように連設された長手方向側壁部及び短手方向側壁部と、上方に向って開口する開口部を備え、前記底面部と前記長手方向側壁部と前記短手方向側壁部とにより囲成されるスペースを物品収容スペースとして形成し、熱可塑性樹脂により成形される包装用トレーであって、
前記底面部の前記短手方向側壁部方向に折曲可能なヒンジ部を形成し、
該ヒンジ部の端部より立ち上がり前記長手方向側壁部の一部を構成し前記長手方向側壁部より高さが低く形成され、前記ヒンジ部を介して前記底面部を下方に向かって折曲した際に拡開するとともに前記ヒンジ部近傍の前記長手方向側壁部を連動して拡開させる、ばね性を賦与して形成された拡開低側壁部を備えていることを特徴とする包装用トレー。
【請求項２】
熱可塑性樹脂により成形された底面部と側壁部を備え、該側壁部が前記底面部を囲成し、前記底面部と前記側壁部により物品収容スペースを形成するとともに前記底面部にヒンジ部を形成し、該ヒンジ部の端部より立ち上がり前記ヒンジ部の折り曲げと連動して拡開する拡開低側壁部を前記側壁部の一部として形成し、前記底面部に、前記ヒンジ部を介して加える強制的な折り曲げに耐える強度を前記底面部に賦与するリブを形成し、物品収容スペースが前記ヒンジ部を介して複数のパートに分けられ、該パートを構成する前記各側壁部により前記底面部の水平を保ち、外部からの力が加わっても物品収容スペース内の内容物の形状を維持し、前記複数のパートに設けられた前記側壁部の高さを内容物より高く形成し、もって外部から力が加わっても外装を支えて、内容物を保護するようにして形成することを特徴とする包装用トレー。
【請求項３】
前記長手方向側壁部が対向して形成され、対向する前記長手方向側壁部に形成された前記拡開低側壁部が、少なくとも左右一対の拡開低側壁部を設けることにより形成されていることを特徴とする請求項１に記載の包装用トレー。
【請求項４】
前記拡開低側壁部が、左右一対の拡開低側壁部を複数対設けることにより形成されていることを特徴とする請求項３に記載の包装用トレー。
【請求項５】
前記ヒンジ部は、平行に形成された複数本の折曲線により形成されていることを特徴とする請求項１ないし４いずれか一項に記載の包装用トレー。
【請求項６】
さらに、前記底面部にリブを形成し、前記ヒンジ部を介して前記底面部を下方に向って折曲した際に前記底面部が撓むことを阻止するように形成されていることを特徴とする請求項５に記載の包装用トレー。
【請求項７】
前記物品収容スペースは、前記ヒンジ部を介して複数のパートに分けられ、前記ヒンジ部を介して折り曲げられて、複数の異なる物品載置面を形成することを特徴とする請求項６に記載の包装用トレー。
【考案の詳細な説明】
【技術分野】
【０００１】本考案は、熱可塑性樹脂により形成された包装用トレーに関するものであり、特に、喫食前は収容するケーキなどの柔らかい内容物の定型性を維持して保護し、喫食時には内容物を手を汚すことなく一口ごと食することを可能とし消費者にとって使い勝手の良い包装用トレーに関するものである。
【背景技術】
【０００２】柔らかいケーキなど、直方体、円柱状の内容物を外袋内で保護する剛性を備え、内容物を損傷することがなく袋外に取出して直接口をつけ食べる際に妨げにならない、包装用トレー出現が待たれている。【０００３】従来、外袋（外装）と、内容物を保護する内装用容器とを組み合わせた包装用資材や（特許文献１、２）、内容物を直接食べられる機能を備えた包装用資材が提案されている（特許文献３）。
【先行技術文献】
【０００４】
【特許文献１】実用新案第３０８６３２２号公報
【特許文献２】特開２０１３−２８３５８号公報
【特許文献３】特開２００９−２９８４５１号公報
【考案の概要】
【考案が解決しようとする課題】
【０００５】しかしながら、特許文献１に記載された包装用資材にあっては、損傷し易い内容物をケーキボックスから取出すことはできるが内容物の保護は外装の剛性に依存しているため、外装は箱構造に限定され廉価な軟包材で提供することはできない。【０００６】特許文献２に記載された包装用資材にあっては、外袋と内容器の組み合わせで、製造時に内容物の内容器への収容を容易にする折り曲げ構造を備えているため使用時には外袋から内容器ごと引き出すことで取出しが容易ではあるが、直接容器から食べることを前提に考案されたものではない。【０００７】特許文献３に記載された包装用資材にあっては、容器から直接食べることを前提にした構造を備えているが、容器底から指を用いて内容物を押し上げる方式であるため、初見で直観的に使用することが難しいとともに、内容物は３分の１程度しか押し出し得ないため、容器外に露出した内容物を食べたあとは、残りを口で噛んで引き出して食べるか、指で掻き出さなければならず、喫食時の品位や手の汚れの面で利便性に欠ける。【０００８】本考案は上記事情に鑑みてなされたものであり、本考案の目的は、損傷し易い内容物の定型性を維持して内容物を保護するのに好適な包装用トレーを提供することにある。【０００９】本考案の他の目的は、喫食時に外装から容易に取出すことが可能で、手を汚さずに一口ごと内容物を喫食することを可能とする包装用トレーを提供することにある。【００１０】本考案のもう一つ他の目的は、初見者であっても直観的に使い易い包装用トレーを提供することにある。
【課題を解決するための手段】
【００１１】本考案に係る包装用トレーは、物品を載置する底面部と、該底面部の周囲から立ち上がるように連設された長手方向側壁部及び短手方向側壁部と、上方に向って開口する開口部を備え、前記底面部と前記長手方向側壁部と前記短手方向側壁部とにより囲成されるスペースを物品収容スペースとして形成し、熱可塑性樹脂により成形される。
前記底面部の前記短手方向側壁部方向に折曲可能なヒンジ部を形成し、該ヒンジ部の端部より立ち上がり前記長手方向側壁部の一部を構成し前記長手方向側壁部より高さが低く形成され、前記ヒンジ部を介して前記底面部を下方に向かって折曲した際に拡開するとともに前記ヒンジ部近傍の前記長手方向側壁部を連動して拡開させる、ばね性を賦与して形成された拡開低側壁部を備えていることを特徴としている。【００１２】上記長手方向側壁部は対向して形成され、対向する上記長手方向側壁部に形成された上記拡開低側壁部は、少なくとも左右一対の拡開低側壁部を設けることにより形成される。【００１３】上記拡開低側壁部は、左右一対の拡開低側壁部を複数対を設けることにより形成することが好ましい。【００１４】本考案に係る包装用トレーは、熱可塑性樹脂により成形された底面部と側壁部を備え、該側壁部が前記底面部を囲成し、前記底面部と前記側壁部により物品収容スペースを形成するとともに前記底面部にヒンジ部を形成し、該ヒンジ部の端部より立ち上がり前記ヒンジ部の折り曲げと連動して拡開する拡開低側壁部を前記側壁部の一部として形成し、前記底面部に、前記ヒンジ部を介して加える強制的な折り曲げに耐える強度を前記底面部に賦与するリブを形成し、物品収容スペースが前記ヒンジ部を介して複数のパートに分けられ、該パートを構成する前記各側壁部により前記底面部の水平を保ち、外部からの力が加わっても物品収容スペース内の内容物の形状を維持し、前記複数のパートに設けられた前記側壁部の高さを内容物より高く形成し、もって外部から力が加わっても外装を支えて、内容物を保護するようにして形成することもできる。【００１５】上記ヒンジ部は、平行に形成された複数本の折曲線により形成することができる。【００１６】さらに、上記底面部にリブを形成し、上記ヒンジ部を介して上記底面部を下方に向って折曲した際に上記底面部が撓むことを阻止するようにするとよい。【００１７】上記物品収容スペースは、上記ヒンジ部を介して複数のパートに分けられ、上記ヒンジ部を介して折り曲げられて、複数の異なる物品載置面を形成するようにする。【００１８】包装用トレーを形成する熱可塑性樹脂として、例えば、ポリエチレンテレフタレート（ＰＥＴ）、ポリスチレン（ＰＳ）、ポリプロピレン（ＰＰ）、ポリ塩化ビニル（ＰＶＣ）、ポリエチレン（ＰＥ）、ポリ乳酸（ＰＬＡ）、および、これらを少なくとも２種組み合わせた素材、さらに、これらの素材に無機フィラー（例えば、タルク、炭酸カルシウム等）を２０％以上８０％未満を加えた素材を用いることができる。そして、包装用トレーは、これらの素材を圧空成形、真空成形および真空圧空成形により製造できる。
【考案の効果】
【００１９】本考案は、内容物（例えばケーキなど）を底面部に載置した状態で内容物の形状を保持したまま外装（外袋）に収容でき、外装開封後は底面部のヒンジを折り曲げて１つのパートを下方に引き下げると、その動きに連動して拡開低側壁部と次のパートの側壁部が拡開した状態で内容物が１パートの長さだけ露出する構成を備えているので、次ぎの効果を奏する。
（１）損傷し易い内容物の定型性を維持して内容物を保護することができる包装用トレーが得られる。
（２）喫食時に外装から容易に取出すことが可能で、手を汚さずに内容物を一口ごと喫食することができる包装用トレーが得られる。
（３）初見者にとっても直観的に使い易い包装用トレーが得られる。
【図面の簡単な説明】
【００２０】
【図１】本考案に係る包装用トレーの平面図である。
【図２】本考案に係る包装用トレーの斜視図である。
【図３】本考案に係る包装用トレーの第１のヒンジ部を折り曲げた状態を示す斜視図である。
【図４】本考案に係る包装用トレー包装用トレーの第１のヒンジ部および第２のヒンジ部を折り曲げた状態を示す斜視図である。
【図５】図２のＸ１−Ｘ１断面略図である。
【図６】図３のＸ２−Ｘ２断面略図である。
【図７】第１のヒンジ部を折り曲げた状態にある包装用トレーを短手方向側壁部側から見た正面図である。
【図８】図４のＸ３−Ｘ３断面略図である。
【図９】第１のヒンジ部および第２のヒンジ部を折り曲げた状態にある包装用トレーを短手方向側壁部側から見た正面図である。
【図１０】本考案に係る包装用トレーにケーキを載置し、外装（外袋）に収容された状態を示す斜視図である。
【図１１】本考案に係る包装用トレーにケーキを載置し、外装に収容された状態を示す断面略図である。
【図１２】図１１の状態から外装を開封し、開封した外袋から包装用トレーの一部が引き出された状態を示す断面略図である。
【図１３】図１２の状態から第１のヒンジ部を折り曲げた状態を示す断面略図である。
【図１４】図１３の状態から第１パートの露出したケーキを食し、さらにトレーを引き出して第２のヒンジ部を折り曲げた状態を示す断面略図である。
【考案を実施するための形態】
【実施例】
【００２１】以下に、考案に係る包装用トレーの実施例について図面を用いて説明する。
ここでは、左右一対の拡開低側壁部が二対形成された包装用トレーについて説明する。
なお、包装用トレーの拡開低側壁部は左右一対のものであってもよいことは勿論である。【００２２】本考案に係る包装用トレー１は、物品を載置する底面部１０と、該底面部１０の周囲から立ち上がるように連設された長手方向側壁部２０及び短手方向側壁部３０と、上方に向って開口する開口部４０を備え熱可塑性樹脂により成形される。前記底面部１０と前記長手方向側壁部２０と前記短手方向側壁部３０とにより囲成されるスペースを物品収容スペース２として形成する。【００２３】前記底面部１０の前記短手方向側壁部方向に折曲可能なヒンジ部１２が形成される。【００２４】さらに、このヒンジ部１２の端部より立ち上がり前記長手方向側壁部２０の一部を構成し前記長手方向側壁部２０より高さが低く形成され、前記ヒンジ部を介して前記底面部１０を下方に向かって折曲した際に拡開するとともに前記ヒンジ部近傍の前記長手方向側壁部２０を連動して拡開させる、ばね性を賦与して形成された拡開低側壁部２２を備えている。【００２５】前記ヒンジ部１２は、平行な２本の折曲線により形成され、第１ヒンジ部１２Ａ、第２ヒンジ部１２Ｂとして形成されている。【００２６】さらに、前記底面部にリブ１４が形成され、前記ヒンジ部１２を介して前記底面部１０を下方に向って折曲した際に前記底面部１０が撓むことを阻止する。前記リブは第１リブ１４Ａ、第２リブ１４Ｂ、第３リブ１４Ｃにより形成される。【００２７】前記物品収容スペース２は、前記ヒンジ部１２を介して３つのパート３（第１パート３Ａ、第２パート３Ｂ、第３パート３Ｃ）に分けられ、前記ヒンジ部１２を介して折り曲げられて、複数の異なる物品載置面を形成する。【００２８】したがって、内容物（ケーキ）１００を載置した状態で外装（外袋）１１０に収容され、開封後、底面部の第１のヒンジ１２Ａを折り曲げて第１パート３Ａを下方に引き下げると、その動きに連動して第１の拡開低側壁部２２Ａ、２２Ｂと第２パート３Ｂの側壁部２０Ｃ、２０Ｄが拡開した状態で内容物が第１パート３Ａの長さだけ露出する。さらに、第２のヒンジ１２Ｂを折り曲げて第２パート３Ｂも下方に引き下げると、その動きに連動して第２の拡開低側壁部２２Ｃ、２２Ｄと第３パート３Ｃの側壁部２０Ｅ、２０Ｆが拡開するとともに、加えて、第２パート３Ｂの側壁部２０Ｃ、２０Ｄは一層大きく拡開して内容物が第２パートの長さだけ（内容物の第１パート３Ａ分が食されている）露出する。【００２９】かくして、包装用トレー１は、熱可塑性樹脂により成形された底面部１０と側壁部２０，３０を備え、該側壁部２０，３０が前記底面部１０を囲成し、前記底面部１０と前記側壁部２０，３０により物品収容スペース２を形成するとともに前記底面部１０にヒンジ部１２を形成し、該ヒンジ部１２の端部より立ち上がり前記ヒンジ部１２の折り曲げと連動して拡開する拡開低側壁部２２を前記側壁部２０の一部として形成し、前記底面部１０に、前記ヒンジ部１２を介して加える強制的な折り曲げに耐える強度を前記底面部に賦与するリブ１４を形成し、物品収容スペース２が前記ヒンジ部１２を介して複数のパート３に分けられ、該パート３を構成する前記各側壁部２０，３０により前記底面部１０の水平を保ち、外部からの力が加わっても物品収容スペース内の内容物の形状を維持し、前記複数のパートに設けられた前記側壁部の高さを内容物より高く形成し、もって外部から力が加わっても外装を支えて、内容物を保護するように構成される。
【符号の説明】
【００３０】１          包装用トレー
２          物品収容スペース
３          パート
３Ａ        第１パート
３Ｂ        第２パート
３Ｃ        第３パート
１０        底面部
１２        ヒンジ部
１２Ａ      第１のヒンジ部
１２Ｂ      第２のヒンジ部
１４        リブ
１４Ａ      第１リブ
１４Ｂ      第２リブ
１４Ｃ      第３リブ
２０        長手方向側壁部
２０Ａ      第１パートの長手方向側壁部
２０Ｂ      第１パートの長手方向側壁部
２０Ｃ      第２パートの長手方向側壁部
２０Ｄ      第２パートの長手方向側壁部
２０Ｅ      第３パートの長手方向側壁部
２０Ｆ      第３パートの長手方向側壁部
２２        拡開低側壁部
２２Ａ      第１の拡開低側壁部
２２Ｂ      第１の拡開低側壁部
２２Ｃ      第２の拡開低側壁部
２２Ｄ      第２の拡開低側壁部
３０        短手方向側壁部
３０Ａ      第１パートの短手方向側壁部
３０Ｂ      第３パートの短手方向側壁部
４０        開口部
１００      ケーキ
１１０      外装
【図１】
0003185677.tif 000003
【図２】
0003185677.tif 000004
【図３】
0003185677.tif 000005
【図４】
0003185677.tif 000006
【図５】
0003185677.tif 000007
【図６】
0003185677.tif 000008
【図７】
0003185677.tif 000009
【図８】
0003185677.tif 000010
【図９】
0003185677.tif 000011
【図１０】
0003185677.tif 000012
【図１１】
0003185677.tif 000013
【図１２】
0003185677.tif 000014
【図１３】
0003185677.tif 000015
【図１４】
0003185677.tif 000016